(57)【要約】      （修正有）【課題】自在な機器接続が可能で汎用性が高く、減速機構等の組み込みによる製造・組み立てコストが余分にかかることがなく、かつ、製品単体にてアナログ的な表示や多様な情報表示も可能なシンクロ指示計を提供する。【解決手段】シンクロ指示計５は、受信されたシンクロ信号をデジタル信号に変換するシンクロ／デジタル変換部（Ｓ／Ｄ）１と、シンクロ／デジタル変換部１にて生成したデジタル信号を演算処理する演算処理部（中央演算処理部すなわちＣＰＵ、他）２と、演算処理部２にて生成した表示信号を表示する表示部３とを備えてなるものであって、表示部３はデジタル値のみならずアナログ様の表示も可能なように形成されていることを、主たる構成とする。なお、演算処理部２は、デジタル信号を演算処理して表示信号処理を生成できる機能であれば、ＣＰＵでなくても、ＭＰＵ、あるいはマイクロコンピュータ等でもよい。【選択図】図１
2012251859.tif 000002
【特許請求の範囲】
【請求項１】
受信されたシンクロ信号をデジタル信号に変換するシンクロ／デジタル変換部と、該シンクロ／デジタル変換部にて生成したデジタル信号を演算処理する演算処理部と、該演算処理部にて生成した表示信号を表示する表示部とを備えてなるシンクロ指示計であって、該表示部はデジタル値のみならずアナログ様の表示も可能であることを特徴とする、シンクロ指示計。
【請求項２】
前記表示部にはグラフィック液晶、有機ＥＬまたはドットマトリクス状配置のＬＥＤが用いられていることを特徴とする、請求項１に記載のシンクロ指示計。
【請求項３】
前記アナログ様の表示には、目盛盤および指針から構成される表示が含まれることを特徴とする、請求項１または２に記載のシンクロ指示計。
【請求項４】
制御用シンクロ発信機など、トルクシンクロ発信機以外のシンクロ発信機を接続可能であることを特徴とする、請求項１ないし３のいずれかに記載のシンクロ指示計。
【発明の詳細な説明】
【技術分野】
【０００１】
本発明はシンクロ指示計に係り、特に、多様な情報表示や自在な機器接続の可能な、汎用性の高いシンクロ指示計に関するものである。
【背景技術】
【０００２】
図３は、従来のシンクロ指示計の構成例を示すブロック図である。従来のシンクロ指示計３５は、接続されるトルクシンクロ発信機３８と本指示計を構成する一部であるトルクシンクロ受信機３１との組み合わせにおいて、受信機３１の軸角度が発信機３８の軸角度と異なる位置にあるときに、受信機３１に発信機３８の軸角度に追従するような回転力（トルク）が発生することを利用したものである。
【０００３】
そしてその表示は、受信機３１の軸に直接取り付けられるか、またはギヤによる減速機構・リミットスイッチもしくはカム板等の必要に応じて構成される伝達構造３２を介して取り付けられる指針と、アルミニウム製等の板に目盛が印刷された目盛板とからなる表示部３３によりなされる。すなわち、図示する従来のシンクロ指示計３５においては、その表示は機械的な構造によりなされるアナログ表示である。
【０００４】
また図４は、シンクロ発信機のシンクロ信号をデジタル処理し表示・外部出力する機能をもつ、シンクロ／デジタル変換器の構成例を示すブロック図である。シンクロ／デジタル変換器４５は、シンクロ／デジタル変換部４１、中央演算処理部等４２、および表示部４３が接続されて構成され、シンクロ／デジタル変換部４１に接続された外部のトルクシンクロ発信機４８等の信号が、表示部４３に表示される。
【０００５】
表示部４３には７セグメントＬＥＤ等が用いられて、デジタル値のみによる表示がなされる。本シンクロ／デジタル変換器４５は、図３に示したシンクロ指示計３５と比較すると、トルクシンクロ発信機４８だけではなく、制御用シンクロ発信機も接続することができる点で、汎用性があるといえる。
【０００６】
なお従来、関連する技術的提案としては、指示計用の減速装置として後掲特許文献１が、またステッピングモータを指針の駆動源に用いる指示計として特許文献２等がある。前者は、所定の構成によって、減速比を大幅かつ容易に変更でき、出力歯車の回転方向を容易に正逆変更できる弁開度指示計用減速装置の技術を開示している。また後者は、所定の構成によって、無励磁時において形成される安定点を明確にし、指針の不必要な動きを抑制可能なステッピングモータ式指示計器の技術を開示している。
【先行技術文献】
【特許文献】
【０００７】
【特許文献１】特開平１１−１０７２５４号公報「弁開度指示計用の減速装置及びそれを組み込んだ弁駆動用アクチュエータ装置」
【特許文献２】特開平１１−３１３４７４号公報「ステッピングモータ式指示計器」
【発明の概要】
【発明が解決しようとする課題】
【０００８】
しかし、従来のシンクロ指示計には次のような問題点があった。まず図３に示した方式のシンクロ指示計では、
（ａ）動作原理上、トルクシンクロ同士の発信機・受信機の組み合わせでしか動作させることができず、汎用性がない。
（ｂ）機械的部品で構成されているため、たとえばギヤによる減速機構を組み込む場合などは、その分の部品製造・組み立てコストが余分にかかる。
【０００９】
また、図４に示した方式のシンクロ／デジタル変換器では、これらの問題点は解消できるものの、表示の観点から見ると、７セグメント式のＬＥＤ等によるデジタル値のみによる表示しか行うことができず、アナログ的な表示が可能なものではない。
【００１０】
そこで本発明が解決しようとする課題は、自在な機器接続が可能で汎用性が高く、減速機構等の組み込みによる製造・組み立てコストが余分にかかることがなく、かつ、製品単体にてアナログ的な表示を行い、また、多様な情報表示も可能なシンクロ指示計を提供することである。
【課題を解決するための手段】
【００１１】
本願発明者は上記課題について検討した結果、シンクロ／デジタル変換部および中央演算処理部を用いて装置を構成し、さらにアナログ様の表示が可能な表示部を備えることによって課題を解決できることに想到し、本発明に至った。すなわち、上記課題を解決するための手段として本願で特許請求される発明、もしくは少なくとも開示される発明は、以下の通りである。
【００１２】
（１）  受信されたシンクロ信号をデジタル信号に変換するシンクロ／デジタル変換部と、該シンクロ／デジタル変換部にて生成したデジタル信号を演算処理する演算処理部と、該演算処理部にて生成した表示信号を表示する表示部とを備えてなるシンクロ指示計であって、該表示部はデジタル値のみならずアナログ様の表示も可能であることを特徴とする、シンクロ指示計。
（２）  前記表示部にはグラフィック液晶、有機ＥＬまたはドットマトリクス状配置のＬＥＤが用いられていることを特徴とする、（１）に記載のシンクロ指示計。
（３）  前記アナログ様の表示には、目盛盤および指針から構成される表示が含まれることを特徴とする、（１）または（２）に記載のシンクロ指示計。
（４）  制御用シンクロ発信機など、トルクシンクロ発信機以外のシンクロ発信機を接続可能であることを特徴とする、（１）ないし（３）のいずれかに記載のシンクロ指示計。
【発明の効果】
【００１３】
本発明のシンクロ指示計は上述のように構成されるため、これによれば、トルクシンクロ発信機以外の機器を接続することもできる。すなわち、機器接続の自由度が広がって自在な機器接続ができるため、汎用性が高い。また、減速機構等の組み込みによる製造・組み立てコストが余分にかかることがない。さらに、シンクロ指示計単体にてアナログ的な表示や多様な情報表示を行うことも可能となる。
【００１４】
なお、図４に示した方式の従来のシンクロ／デジタル変換器は、その内部構成においては本発明シンクロ指示計と共通する点がある。しかし表示の観点から見ると、従来の方式では、別途、アナログ的表示が可能な表示器を用意してそれを接続するなどしてアナログ的表示を行わなくてはならない。一方本発明によれば、単体でシンクロ電機信号を受信し、アナログ的な表示を行うことができ、さらに多様な情報表示を行うことも可能であるため、特段別の装置を用意する必要もなく、優れた利便性を提供することができる。
【図面の簡単な説明】
【００１５】
【図１】本発明のシンクロ指示計の基本構成を示すブロック図である。
【図２】本発明シンクロ指示計の別の構成例を示すブロック図である。
【図３】従来のシンクロ指示計の構成例を示すブロック図である。
【図４】シンクロ／デジタル変換器の構成例を示すブロック図である。
【発明を実施するための形態】
【００１６】
以下、図面により本発明を詳細に説明する。
図１は、本発明のシンクロ指示計の基本構成を示すブロック図である。図示するように本シンクロ指示計５は、受信されたシンクロ信号をデジタル信号に変換するシンクロ／デジタル変換部（Ｓ／Ｄ）１と、シンクロ／デジタル変換部１にて生成したデジタル信号を演算処理する演算処理部（中央演算処理部すなわちＣＰＵ、他）２と、演算処理部２にて生成した表示信号を表示する表示部３とを備えてなるものであって、表示部３はデジタル値のみならずアナログ様の表示も可能なように形成されていることを、主たる構成とする。なお、演算処理部２は、デジタル信号を演算処理して表示信号処理を生成できる機能であれば、ＣＰＵでなくても、ＭＰＵ、あるいはマイクロコンピュータ等でもよい。
【００１７】
かかる構成により本シンクロ指示計５は、これにトルクシンクロ発信機あるいは制御用シンクロ発信機といったシンクロ発信機８が接続されると、シンクロ発信機８からのシンクロ信号はシンクロ／デジタル変換部１に受信され、シンクロ信号はここでデジタル信号に変換され、生成したデジタル信号は演算処理部２において演算処理されて表示信号が生成し、生成した表示信号は表示部３において表示される。本発明のシンクロ指示計５はこのように、トルクシンクロ発信機以外のシンクロ発信機、たとえば制御シンクロ発信機等にも接続して、信号表示を得ることが可能である。
【００１８】
加えて本シンクロ指示計５によれば、シンクロ／デジタル変換部１および演算処理部２による上述の各処理により、別途機械部品を追加したり、アナログ的表示をさせるための表示器を別途接続したりすることなく、シンクロ指示計としての機能を十分に発揮し、また後述する特徴的な表示を実現することが可能である。つまり、従来であれば機械的部品により構成されていた減速機構などの機能を、Ｓ／Ｄ変換された信号の演算処理により実現することができるため、従来のように機械的部品を追加する必要がない。したがって、その分の部品製造・組み立てにかかっていたコストを低減できる。
【００１９】
本発明シンクロ指示計５においては、表示部３もまた演算処理部２から伝達されたデジタル信号を受けてこれをアナログ様の表示も可能な仕様に構成されているため、表示部３にはデジタル値の表示のみならず、アナログ様の表示をも表示することができる。
【００２０】
また演算処理部２は、デジタル値の表示信号のみならず、アナログ様の表示信号や画像信号など多様な信号を生成する仕様に構成することも可能であるため、かかる場合、表示部３にはデジタル値の表示のみならず、アナログ様の表示や画像など多様な情報を表示することもできる。
【００２１】
たとえば、表示部３にグラフィック液晶等の液晶モジュールを採用することによって、従来のシンクロ指示計ではなし得ないような、多様な情報を表示させることが可能である。なお表示部３としてはこの他、有機ＥＬまたはドットマトリクス状配置のＬＥＤ等を用いてもよい。
【００２２】
図２は、本発明シンクロ指示計の別の構成例を示すブロック図である。図示するように本シンクロ指示計２５は、受信されたシンクロ信号をデジタル信号に変換するシンクロ／デジタル変換部（Ｓ／Ｄ）２１と、シンクロ／デジタル変換部２１にて生成したデジタル信号を演算処理する演算処理部２２と、演算処理部２２にて生成した表示信号を表示する表示部２３とを備えてなる構成である。
【００２３】
さらに表示部２３は、デジタル値のみならずアナログ様の表示も可能なように形成されている点も、図１に示したシンクロ指示計と同様であるが、本例においてはアナログ様の表示には目盛盤および指針から構成される表示が含まれる。このように本発明シンクロ指示計は、特徴的な表示を、別の装置を用いることなく本シンクロ指示計単体で実現することができる。
【産業上の利用可能性】
【００２４】
本発明のシンクロ指示計によれば、機器接続の自在さによる汎用性の高さ、減速機構等の組み込み不要による製造・組み立てコストの抑制、さらにシンクロ指示計単体によるアナログ的な表示や多様な情報表示の実現という各効果を全て得られる。したがって、シンクロ発信機ならびにシンクロ指示計、およびその関連分野において産業上利用性が高い発明である。
【符号の説明】
【００２５】
１、２１…シンクロ／デジタル変換部
２、２２…演算処理部
３、２３…表示部
５、２５…シンクロ指示計
８、２８…シンクロ発信機
３１…トルクシンクロ受信機
３２…伝達構造
３３、４３…表示部
３５…シンクロ指示計
３８、４８…トルクシンクロ発信機
４１…シンクロ／デジタル変換部
４２…中央演算処理部等
４５…シンクロ／デジタル変換器
【図１】
2012251859.tif 000003
【図２】
2012251859.tif 000004
【図３】
2012251859.tif 000005
【図４】
2012251859.tif 000006